(57)【要約】【課題】回動する扉に照明装置を設けた構成において、扉の開放角度によらず庫内を充分に照らすことができる貯蔵庫を提供する。【解決手段】実施形態の貯蔵庫としての冷蔵庫１００は、回動することにより貯蔵室の開口部８を開閉する扉１０２と、扉１０２に設けられ、扉１０２が開放されたときに作動する照明装置２７と、貯蔵室に設けられ、照明装置２７から照射された光を反射する反射板１０３（反射部）と、を備える。【選択図】図９
2017194181.tif 000002
【特許請求の範囲】
【請求項１】
回動することにより貯蔵室の開口部を開閉する扉と、
前記扉に設けられ、扉が開放されたときに作動する照明装置と、
前記貯蔵室に設けられ、前記照明装置から照射された光を反射する反射部と、
を備えることを特徴とする貯蔵庫。
【請求項２】
前記反射部は、前記貯蔵室の壁部に設けた反射板により構成されていることを特徴とする請求項１記載の貯蔵庫。
【請求項３】
前記反射部は、前記照明装置から照射された光を、当該反射部の表面が平面であると仮定した際に正反射する方向とは異なる方向に反射する凸部を有することを特徴とする請求項１または２記載の貯蔵庫。
【請求項４】
前記凸部は、正反射する方向とは異なる方向に光を反射する傾斜部を有し、
前記傾斜部の傾斜角度を、前記照明装置からの距離に応じて異ならせたことを特徴とする請求項３記載の貯蔵庫。
【請求項５】
前記傾斜部の傾斜角度を、前記扉の開放角度が９０度とされたときに前記照明装置から照射された光が前記開口部に沿って反射する角度に設定したことを特徴とする請求項４記載の貯蔵庫。
【発明の詳細な説明】
【技術分野】
【０００１】
本発明の実施形態は貯蔵庫に関する。
【背景技術】
【０００２】
従来、冷蔵庫や冷凍庫あるいは温蔵庫等の貯蔵庫においては、貯蔵室の庫内を照明する庫内灯等の照明装置が設けられたものがある。庫内灯は、貯蔵室の側面や奥面など室壁面に設けられており、その室壁面から貯蔵室を照明するようになっている。このとき、庫内灯の近辺に貯蔵品が置かれると抗原が貯蔵品で遮られてしまうことから、貯蔵室内の照度の低下が大きくなる。そのため、扉側に照明装置を設けることが提案されている（例えば特許文献１参照）。
【先行技術文献】
【特許文献】
【０００３】
【特許文献１】特開平１１−８３３０６号公報
【発明の概要】
【発明が解決しようとする課題】
【０００４】
しかしながら、扉側に照明装置を設ける場合には、扉の開放角度によっては、照明装置から直接的に光が照射される範囲が限られることから、庫内を十分に照らすことができないおそれがある。
そこで、回動する扉に照明装置を設けた構成において、扉の開放角度によらず庫内を充分に照らすことができる貯蔵庫を提供する。
【課題を解決するための手段】
【０００５】
実施形態の貯蔵庫は、回動することにより貯蔵室の開口部を開閉する扉と、扉に設けられ、扉が開放されたときに作動する照明装置と、貯蔵室に設けられ、照明装置から照射された光を反射する反射部と、を備える。
【図面の簡単な説明】
【０００６】
【図１】実施形態の貯蔵庫の第１例としての冷蔵庫を冷蔵室両扉開放状態で模式的に示す横断面図
【図２】冷蔵庫上半部を冷蔵室片側扉開放状態で模式的に示す縦断側面図
【図３】冷蔵庫を冷蔵室両扉閉鎖状態で模式的に示す横断面図
【図４】冷蔵室片側扉単体模式的にを示す斜視図
【図５】照明装置部分を模式的に示す分解斜視図
【図６】照明装置部分を模式的に示す拡大横断面図
【図７】第２例としての冷蔵庫の照明装置部分を模式的に示す拡大横断面図
【図８】第３例としての冷蔵庫を冷蔵室両扉開放状態で模式的に示す横断面図
【図９】反射板を設けていない場合の照明範囲を参考例として模式的に示す図
【図１０】反射板を設けた場合の照明範囲を模式的に示す図その１
【図１１】反射板を設けた場合の照明範囲を模式的に示す図その２
【図１２】反射板の表面形状の一例を模式的に示す図
【図１３】反射角の算出様式を模式的に示す図
【図１４】扉の開放角度が９０度の場合の照明範囲を模式的に示す図
【図１５】扉の開放角度が４５度の場合の照明範囲を模式的に示す図
【図１６】傾斜角度を変化させた反射板を模式的に示す図
【図１７】反射板の他の表面形状を模式的に示す図
【図１８】その他の実施形態による反射板の構成例を模式的に示す図
【図１９】第１例の冷蔵庫に反射板を設けた状態を模式的に示す図
【図２０】第１例の冷蔵庫に反射板を設けた場合の照明範囲を模式的に示す図
【発明を実施するための形態】
【０００７】
（実施形態）
以下、図１から図８を参照しながら、貯蔵庫としての冷蔵庫に設ける照明装置の構成について第１例、第２例および第３例として説明し、その後、図９から図１７を参照しながら、実施形態による貯蔵庫について説明する。
【０００８】
＜第１例＞
まず、図２には、貯蔵庫の第１例としての冷蔵庫全体のうちの上半部を縦断面で右側面より見て示しており、１が庫本体、２が扉を示している。このうち、庫本体１は、外箱３に内箱４を組合わせ、この外箱３と内箱４との間に発泡ポリウレタン等の発泡断熱材で構成された断熱材５を充填して成るもので、内箱４の内部の最上部が冷蔵室６となっており、その下方が野菜室７となっている。これらの冷蔵室６及び野菜室７は貯蔵室であり、それぞれ前面は各貯蔵室に通じる開口部８，９となっている。
【０００９】
冷蔵室６の内部には、棚１０を複数段に設けており、最下部には貯蔵容器１１が引出し可能に位置する貯蔵容器室１２を有している。
それに対して、野菜室７は、図示しない野菜容器を引出し可能に有するものであり、その後方の奥部に、図示しないが、各貯蔵室を冷却するための、冷却器や庫内空気循環ファンが位置する冷却器室を有している。
【００１０】
一方、扉２は、冷蔵室６の前面の開口部８を開閉するものであり、図３に示すように、外板１３と内板１４とを周側枠１５で組合わせ（詳細には図６参照）、これらの内部に発泡ポリウレタン等の発泡断熱材１６を充填して成るもので、左側に存在する。そして、右側にも今一枚の扉１７があって、この扉１７も、冷蔵室６の前面の開口部８を開閉するものであり、外板１８と内板１９とを周側枠２０で組合わせ、これらの内部に発泡ポリウレタン等の発泡断熱材２１を充填して成るものである。
【００１１】
すなわち、冷蔵室６の前面の開口部８は、扉２と扉１７の２枚の扉で開閉するようにしており、詳しくは図示しないが、扉２は左端部を庫本体１に軸支し、扉１７は右端部を庫本体１に軸支して、それぞれその各軸支部分を中心に回動する開き戸式で且つ観音開き式に開閉可能に設けている。なお、左側の扉２には、左右間の仕切部材２２を、扉２の開放に支障を来たさない可動構造で取付けている。
【００１２】
扉２，１７は、それぞれ冷蔵室６に面する背面部である内板１４，１９の背面にスロート部２３，２４を有している。これらのスロート部２３，２４は、図４に扉２のスロート部２３で代表して示すように、内板１４，１９の各背面の周囲部から矩形の枠状に突出するように形成したもので、中空である。又、これらのスロート部２３，２４の各囲繞空間には、図１から図３に示すように、ポケット部２５，２６を複数段に設けている。そして、これらのスロート部２３，２４の各軸支部分側で上下方向に延びる一辺部の上下の中間部には、それぞれ照明装置２７，２８を設けている。
【００１３】
図５及び図６は、上記照明装置２７，２８の詳細を、扉２の照明装置２７で代表して示しており、スロート部２３，２４の内部に光源取付具２９を組込んでいる。この光源取付具２９は、全体にスロート部２３，２４の内面に添う容器状のもので、前側（図６では下側）が開口し、後側（同上側）ほど薄くなった先薄状で、先端部が閉塞されている。
従って、スロート部２３，２４並びに光源取付具２９は、ともに両側壁部が先端ほど接近する斜面状を成していて、且つ、スロート部２３，２４の各表側部である外側壁部は寸法Ｄ（特にはスロート部２３，２４の各板厚以上）の段差を有し、この段差の低い方の部分に、段差の境界部分に接して開口部３０を、プラスチックによるスロート部２３，２４の型成形における型抜きにより形成している。
【００１４】
又、光源取付具２９の表側部である外側壁にも、上記スロート部２３，２４の開口部３０より若干小さな開口部３１を形成すると共に、その開口部３１の周縁部から周囲外方へ張り出すフランジ構造（以下、先部フランジ３２と称する）を形成しており、開口部３１に面する内部には光源保持部である保持爪３３を設けている。光源取付具２９の基部には、これもその周縁部から周囲外方へ張り出すフランジ構造（以下、基部フランジ３４と称する）を形成している。
【００１５】
この構成で、スロート部２３，２４の内部に光源取付具２９を挿入し、スロート部２３，２４の前記開口部３０対向する内面２３ａ，２４ａ（図６に２３ａのみ図示）に、光源取付具２９の表側部と対向する背面部２９ａを当接させると共に、スロート部２３，２４の上記開口部３０の周縁部より外方の部分の内面２３ｂ，２４ｂ（図６に２３ｂのみ図示）に、光源取付具２９の先部フランジ３２の外面３２ａを当接させている。
そして、扉２，１７の外板１３，１８の内部には、コネクタハウジング３５を組込んでいる。このコネクタハウジング３５には、後壁部のほぼ中央にはリード線挿通孔３６を形成している。
【００１６】
この後、照明装置２７，２８の光源であるＬＥＤ３７を実装した回路基板３８が有するリード線３９を、光源取付具２９内からコネクタハウジング３５のリード線挿通孔３６を通してコネクタハウジング３５内に導出し、このリード線３９が先端部に有する出力側のコネクタ４０を、外部リード線４１が先端部に有する入力側のコネクタ４２に接続している。その後、それらの接続部をリード線挿通孔３６から光源取付具２９内に戻し入れ、外部リード線４１のコネクタ４２近傍の部分にあらかじめ一体化したシール４３をリード線挿通孔３６に圧入してリード線挿通孔３６を密閉している。外部リード線４１は、前記庫本体１から扉２の軸支部分中を通してＬＥＤ３７に給電をするものである。
【００１７】
そして、その後、扉２，１７の外板１３，１８の内部に前記発泡断熱材１６，２１を注入し、内板１４，１９を外板１３，１８にそれぞれ前記周側枠１５，２０で組合わせ結合する。又、このとき、前記光源取付具２９の基部フランジ３４の前面には、あらかじめシール（例えばソフトテープ）４４を貼着しておき、このシール４４に、コネクタハウジング３５の後面（リード線挿通孔３６の周囲部分）を圧接させることにより、前記光源取付具２９の内部を外板１３，１８の内部（発泡断熱材１６，２１の充填空間）から密閉している。これにより、外板１３，１８の内部に注入した発泡断熱材１６，２１は、光源取付具２９の内部に侵入することなく、扉２では外板１３と内板１４との間、扉１７では外板１８と内板１９との間に、それぞれ充填される。
【００１８】
更にその後、上記回路基板３８を光源取付具２９の開口部３１から保持爪３３に係合させて装着しており、この後、前記スロート部２３，２４の開口部３０から光源取付具２９の開口部３１に、シェード４５を複数の取付爪４５ａにより装着して開口部３０，３１を閉塞している。シェード４５はＬＥＤ３７の照射する光を拡散するものであり、光源取付具２９の開口部３１よりは大きいものの、スロート部２３，２４の開口部３０に収まるサイズの矩形で、装着状態では表面部がスロート部２３，２４の表面部とほぼ面一に位置している。
なお、扉１７の照明装置２８は、上記扉２の照明装置２７とは左右対称の構造で設けている。
【００１９】
図１は、以上のように照明装置２７，２８を組込んだ扉２，１７を全開の開放状態で表しており、この図１で明らかなように、照明装置２７，２８のＬＥＤ３７からシェード４５を透して前記冷蔵室６に照射される光の照射範囲Ｌ１，Ｌ２はそれぞれ扉２，１７（特にはそれらの軸支側の端縁部）にかからないようにしており、すなわち、光の照射範囲Ｌ１中には扉２が、光の照射範囲Ｌ１中には扉１７が、それぞれ位置することのないようにしていて、それにより、照明装置２７，２８の照射する光が扉２，１７による影を作らないようにしている。
【００２０】
加えて、図１から図３には、照明装置２７，２８に対応して庫本体１の断熱壁中に設けた扉開閉検知手段であるスイッチ４６，４７を示しており、これらは例えばタクトスイッチやマイクロスイッチであって、詳しくは図示しないが、ともに庫本体１の内部に突出した突子が扉２，１７の閉鎖によりスロート部２３，２４（各軸支部分側の一辺部）で押圧されることによって、扉２，１７の閉鎖を検知し、その突子の押圧が扉２，１７の開放により解除されることにより、扉２，１７の開放を検知するようになっている。なお、図２に示すように、スイッチ４６，４７は照明装置２７，２８と直接接触することのない位置に設置している。照明装置２７，２８は、このスイッチ４６，４７が扉２，１７の開放を検知したときにＬＥＤ３７を発光させ、扉２，１７の閉鎖を検知したときにＬＥＤ３７を消光させるようになっている。
【００２１】
更に、図５及び図６には、扉２，１７のスロート部２３，２４の外側近傍において内板１４，１９に形成した溝４８を示しており、この溝４８は、扉２，１７の閉鎖時に庫本体１の開口部８の密閉をするガスケット（図示せず）を差込みにより取付けるためのもので、そのガスケット差込み用の開口部４８ａの両側にガスケットの抜止めをする突部４８ｂを有している。
【００２２】
このような構成の冷蔵庫においては、扉２，１７を開放すると、スイッチ４６，４７が扉２，１７の開放を検知することにより、照明装置２７，２８のＬＥＤ３７を発光させ、図１に照射範囲Ｌ１，Ｌ２で示したように、冷蔵室６を照明する。
又、この場合、扉２，１７の一方のみを開放すると、スイッチ４６，４７のうちの開放された扉側のスイッチが扉の開放を検知することにより、照明装置２７，２８のうちの開放された扉側の照明装置のＬＥＤ３７を発光させ、冷蔵室６を照明する。すなわち、この場合には、扉２，１７のうちの開放された扉側の照明装置のＬＥＤ３７を発光させることのみを行い、開放されない扉側の照明装置のＬＥＤ３７を発光させることは行わない。これにより、消費電力の節減を図っている。
【００２３】
そして、上記構成の冷蔵庫においては、照明装置２７，２８を扉２，１７のスロート部２３，２４に設けており、冷蔵室６の室壁面に庫内灯を設けたもののような、扉２，１７を開けたときの照明装置２７，２８の近辺に貯蔵品が置かれることがないので、照明が貯蔵品で遮られることがなく、従って、冷蔵室６に対する照度の低下が大きくなることがなく、且つ、扉２，１７を開けて冷蔵室６を覗く使用者の目に照射光が直接目に入るということもなくて、使用者にまぶしく感じられることが少ない。
【００２４】
併せて、上記構成の冷蔵庫においては、照明装置２７，２８を扉２，１７のスロート部２３，２４に設けたものにおいても、照明装置２７，２８の照射する光が扉２，１７による影を作らないようにしており、それによって、その各照射範囲Ｌ１，Ｌ２に扉２，１７による影ができず、庫内の照射範囲が一部欠如することがなくて、庫内の充分な照明効果を得ることができる。
【００２５】
又、上記構成の冷蔵庫においては、照明装置２７，２８を、光源であるＬＥＤ３７と、このＬＥＤ３７を取付ける光源取付具２９とを有する構成とし、その光源取付具２９には、ＬＥＤ３７の照射光を拡散するシェード４５を装着する開口部３１と、この開口部３１の周縁部から外方に張り出す先部フランジ３２とを表側部に設け、扉２，１７のスロート部２３，２４の内部空間を扉２，１７の発泡断熱材充填空間から密閉するための基部フランジ３４を基部に設けていて、扉２，１７のスロート部２３，２４には上記シェード４５を収容する開口部３０を形成し、この開口部３０と対向するスロート部２３，２４の内面２３ａ，２４ａに、上記光源取付具２９の表側部と対向する背面部２９ａを当接させ、該スロート部２３，２４の開口部３０の周縁部より外方の部分の内面２３ｂ，２４ｂに、光源取付具２９の先部フランジ３２の外面３２ａを当接させている。
【００２６】
これにより、扉２，１７の発泡断熱材１６，２１の充填圧に対して、光源取付具２９の背面部２９ａと光源取付具２９の先部フランジ３２の外面３２ａとがそれぞれと当接相手部（スロート部２３，２４の開口部３０と対向する内面２３ａ，２４ａ、スロート部２３，２４の開口部３０の周縁部より外方の部分の内面２３ｂ，２４ｂ）に当接して、光源取付具２９がスロート部２３，２４内に定着され、すなわち、発泡断熱材１６，２１の充填圧による光源取付具２９の逃げのない状態で、コネクタハウジング３５によりシール４４が光源取付具２９の基部フランジ３４の前面に圧せられるので、発泡断熱材１６，２１の充填時における光源取付具２９の内部、すなわちＬＥＤ３７が位置する部分の密閉がより確実にでき、ＬＥＤ３７による照明効果を発泡断熱材１６，２１で損なうことのないようにできる。
【００２７】
更に、上記構成の冷蔵庫においては、扉２，１７のスロート部２３，２４に、上記シェード４５を収容する開口部３０を型抜きにより形成するための段差Ｄを設けている。これにより、その開口部３０の形成が容易にできる。ことに、扉２，１７のスロート部２３，２４の外側近傍においては、内板１４，１９にガスケット取付け用の溝４８を形成しており、この溝４８は、ガスケットの抜止めをする突部４８ｂをガスケット差込み用の開口部４８ａの両側に有しているものの、前後（図６では上下）に強制的に離型することによって形成される。
【００２８】
それに対して、上記スロート部２３，２４の開口部３０は溝４８の開口部４８ａとは交差（特には直交）する左右方向の向きに設けており、この開口部３０をその向きどおりの型抜き（離型）によって形成しようとすると、上記内板１４，１９のガスケット取付け用の溝４８形成の離型構造と干渉してしまい、形成できなくなるか、もしくはそれらの型構造がきわめて複雑で高価なものとなる。
【００２９】
しかし、上記構成の冷蔵庫においては、扉２，１７のスロート部２３，２４に開口部３０を型抜きにより形成するための段差Ｄを設けており、それによって、開口部３０を内板１４，１９のガスケット取付け用の溝４８と同じ前後の離型によって形成できるので、開口部３０形成が前後にのみ離型する単純な型で容易に、且つ安価にできる。
なお、この場合、扉２，１７のスロート部２３，２４には、段差Ｄに代えて、それと同程度の勾配を有する傾斜を設けるようにしても良い。
【００３０】
加えて、上記構成の冷蔵庫においては、扉２，１７のスロート部２３，２４に前記シェード４５を表面部とほぼ面一に設けている。これにより、シェード４５が扉２，１７のスロート部２３，２４より外方にほとんど出っ張らず、冷気の漏れ防止とポケット部２５，２６の横幅寸法確保のために必要最小限に抑えられる、扉２，１７のスロート部２３，２４と庫本体１の内側面部との間の間隙寸法内にシェード４５を収めることができて、その扉２，１７のスロート部２３，２４と庫本体１の内側面部との間の間隙寸法を大きくする必要をなくし得、冷気の漏れ防止とポケット部２５，２６の横幅寸法の確保に支障を来たさないようにできる。
【００３１】
＜第２例＞
図７は貯蔵庫の第２例を示すもので、第１例と同一の部分には同一の符号を付して説明を省略し、異なる部分についてのみ述べる。
図７に示す第２例においては、前述の光源取付具２９に代えて、保持爪５１を開放先端部に有する光源取付具５２を用い、その保持爪５１に、ＬＥＤ３７を実装した回路基板３８を係合させて装着している。又、このものの場合、扉２，扉１７、スロート部２３，２４も先端部が外側の側面部から内側の側面部にかけて開放しており、その開放部に、前述のシェード４５に代わるシェード５３を装着してスロート部２３，２４の開放先端部を閉塞している。このようにして、このものの場合には、シェード５３は、扉２，１７のスロート部２３，２４の先端部に設けているのである。
【００３２】
このようにすることにより、照明装置２７，２８のＬＥＤ３７からシェード５３を透して前記冷蔵室６に照射される光の照射範囲をより大きくすることができるものであり、特に、扉２，１７を微小角度開放させたときにも冷蔵室６を照射しやすくできる効果がある。
【００３３】
＜第３例＞
図８に示す貯蔵庫の第３例においては、光源であるＬＥＤ３７を、光を広角に照射する広角仕様のものとしている。具体的には、ＬＥＤ３７からシェード４５を透して冷蔵室６に照射される光の照射範囲Ｌ３，Ｌ４を、前述の照射範囲Ｌ１，Ｌ２に代えて、それよりも大きな例えば９０度角のものとしている。
このようにすることにより、光の照射範囲が小さいものでは、扉２，１７の開放角度の変化に伴って光の照射範囲が変移するのが使用者に分かりやすく、使い勝手が良くないところ、その光の照射範囲が変移するのが使用者に分かりにくくなり、使い勝手を良くすることができる。
【００３４】
＜反射板を設ける構成＞
第１例から第３例にて示したように、例えば冷蔵庫のような貯蔵庫に照明装置２７を設ける場合、その照明装置２７によって、冷蔵室６等の貯蔵室の庫内を広い範囲で照らすことができることが望ましい。なお、第１例等では左側の扉２には照明装置２７を、右側の扉１７には照明装置２８を設けた例を示したが、以下では、説明の簡略化のため、照明装置２７を用いて説明する。
【００３５】
まず、図９に、照明装置２７を設けた参考例としての冷蔵庫２００を示す。この冷蔵庫２００は、本体２０１の開口部８（図１等参照）を１枚の扉２０２で開閉する構成となっており、この扉２０２に、第１例等と同様の照明装置２７が設けられている。さて、この扉２０２を開放すると、照明装置２７から光が照射される。このとき、照明装置２７によって直接的に光が照射されて照らされる範囲である照明範囲（Ｒ１）は、図９にハッチングにて示すように、照明装置２７のほぼ中央部つまりはＬＥＤ３７（図５参照）が設けられている位置を基準とした概ね９０度の範囲となる。
【００３６】
一方、庫内全域のうち、照明範囲（Ｒ１）を除いた範囲は、照明装置２７によって直接的に光が照射されることがない範囲であるとなる非照明範囲（Ｒ２）となる。このため、扉２０２の開放角度によっては、照明装置２７によって直接的に照らされない非照明範囲（Ｒ２）が多くなるおそれがある。すなわち、せっかく照明装置２７を設けたにも関わらず、照明範囲（Ｒ１）を十分に得ることができないおそれがある。
そこで、本実施形態では、以下のようにして、照明範囲（Ｒ１）の拡大を図っている。
【００３７】
図１０は、本実施形態による貯蔵庫としての冷蔵庫１００を示している。この冷蔵庫１００は、本体１０１、本体１０１の開口部８を開閉する１枚の扉１０２、この扉１０２に設けられている第１例等と同様の照明装置２７、および、例えば冷蔵室６等の庫内の断熱壁に設けられている反射板１０３を備えている。
この反射板１０３は、例えばアクリル板、金属板、金属蒸着膜など、いわゆる鏡面仕上げが施されて、照明装置２７からの光を効率よく反射する高い反射率を有するものとして形成されている。なお、冷蔵室６の断熱壁に鏡面仕上げを施したり、反射塗料を塗布したりすることで反射部を設けた構成であってもよい。つまり、反射部は、必ずしも反射板１０３のように別部品として設ける必要はない。
【００３８】
この反射板１０３は、概ね照明装置２７とほぼ同じ高さ寸法を有し、冷蔵庫１００の前後方向にある程度の幅寸法を有する長方形形状に形成されている（図１９参照）。本実施形態の場合、反射板１０３は、概ね照明装置２７と同じ高さになるように設置されている（図１９参照）。以下、反射板１０３について、冷蔵庫１００の前側（図１９における図示左方側）の端部を便宜的に前端１００ａと称し、後ろ側（図１９における図示右方側）の端部を便宜的に後端１００ｂと称して説明する。
【００３９】
この反射板１０３によって照明装置２７から照射された光が反射されることで、その反射光によって庫内を照らすことができる。このとき、上記したように反射板１０３は反射率が高いため、照明装置２７から直接的に光が届かない範囲であっても、概ね照明装置２７から直接的に光が照射された場合と同様の明るさで照らすことができる。すなわち、反射板１０３を設けた場合には、照明装置２７によって直接的に照らされる範囲と、反射光によって照らされる範囲とを合算した範囲を、照明範囲（Ｒ１）とみなすことができる。
【００４０】
これにより、図９に例示したような庫内の後方まで光が届かず、非照明範囲（Ｒ２）が庫内のほぼ全域を占めていたような状態に対して、反射板１０３を設けた場合には、図１０に例示するように、庫内の後部まで光が届くことになり、非照明範囲（Ｒ２）を図９の状態から大きく削減することができる。換言すると、反射板１０３を設けない場合に比べて、照明範囲（Ｒ１）を拡大することができる。
【００４１】
すなわち、回動することにより貯蔵室の開口部８を開閉する扉１０２と、扉１０２に設けられ、扉１０２が開放されたときに作動つまりは光を照射する照明装置２７と、貯蔵室の壁部（断熱壁）に設けられ、照明装置２７から照射された光を反射する反射板１０３と、を備えることにより、別途に光源を設けることなく、扉１０２の開放角度によらず庫内を広い範囲で照らすことができる。
【００４２】
ところで、反射板１０３を設けることによって照明範囲（Ｒ１）を拡大することができるものの、その照明範囲（Ｒ１）は、扉１０２の開放角度によって変化する。例えば、図１０に示したように扉１０２を概ね４５度まで開いた場合と、図１１に示すように扉１０２を概ね９０度まで開いた場合とでは、反射板１０３の表面が平面であると仮定し、その平面で正反射したと考えた場合の照明範囲（Ｒ１）が異なっている。この場合、単純に反射板１０３の表面で光を散乱させると、単位面積当たりの照度が低下して、庫内を十分に照らせなくなってしまうおそれがある。
【００４３】
そのため、本実施形態では、以下のように、反射板１０３の表面形状を工夫することにより、庫内を十分に照らすことができるようにしている。
さて、扉１０２の全ての開放角度において庫内を全面的に照らすようにすることは、照明装置２７を１つ設ける場合にはいささか困難である。そのため、まず、どの程度の扉１０２の開放角度を想定すれば汎用性が高いか、すなわち、ユーザによって使い勝手がよいかについて検討する。
【００４４】
扉１０２に設けられているポケット部２５（図１等参照）等に例えばペットボトル等を出し入れする場合には、扉１０２の開放角度は、相対的に小さいと考えられる。ただし、その場合には、収納位置がほぼ把握できていることから、照明が必要になる可能性は相対的に低いと考えられる。
これに対して、庫内に設けられている棚１０（図１等参照）に物品を出し入れする場合には、扉１０２の開放角度は、相対的に大きいと考えられる。そして、その場合には、収納位置が不明であったり、奥の方に置かれている物品を取り出したりすることが考えられるため、照明が必要になる可能性が相対的に高くなると考えられる。
【００４５】
そのため、本実施形態では、扉１０２を大きく開いた状態、具体的には扉１０２の開放角度が９０度の場合を基準とし、開放角度が９０度の場合に庫内を最も照らすことができるように、反射板１０３の表面形状を設計している。
具体的には、図１２に示すように、反射板１０３の表面には、複数の凸部１０４が設けられている。この図１２には、反射板１０３の表面の領域Ａ１を拡大して模式的に示している。凸部１０４は、反射板１０３を厚み方向への断面視において、傾斜角度αで傾斜した傾斜部１０４ａを有する三角形状に形成されている。ただし、各凸部１０４の反射率は、上記したように高いままである。
【００４６】
なお、図１２の場合、反射板１０３の図示左方側が庫内であり、反射板１０３の図示右方側が断熱壁となっているため、凸部１０４は、断熱壁から庫内側に傾斜角度αで傾斜した傾斜部１０４ａを有していることになる。また、凸部１０４は、反射板１０３の前後方向の全域に同様に設けられている。
この傾斜角度αは、次のように算出されている。図１３に示すように、扉１０２の開放角度を９０度とした場合、照明装置２７は、反射板１０３から距離Ｗ１だけ離間した位置であって、反射板１０３よりも庫内側に距離Ｗ２だけ離間した位置に設けられているとする。なお、反射板１０３の距離Ｗ３は、本実施形態ではＬＥＤ３７の中心位置までの距離として設定している。
【００４７】
さて、反射板１０３の前端１０３ａに入射角α１で入射する光の軌跡をＳ１とする。この状態で、庫内を最も広く照らすようにするためには、前端１０３ａに入射した光が、庫内の開口部８の左右方向に沿った軌跡Ｓ２のように反射すればよい。具体的には、軌跡Ｓ１と軌跡Ｓ２とがなす角をα２（＝９０−α１）とし、その二等分線をＣＬ１とする。このとき、軌跡Ｓ１で入射した光が反射した際に軌跡Ｓ２となるようにするためには、その反射面が、二等分線（ＣＬ１）に対する垂線（ＣＬ２）と一致していればよいことになる。
【００４８】
つまり、反射板１０３の表面に、反射板１０３と垂線（ＣＬ２）とがなす角を有する傾斜を設ければ、反射光を軌跡Ｓ２のように反射させること、つまりは、反射板１０３の表面が平面であると仮定した際に正反射した場合とは異なる向きに反射させることができる。これにより、凸部１０４の傾斜角度αは、（α２）／２＝（＝９０−α１）／２として算出される。なお、入射角α１は、距離Ｗ１と距離Ｗ２とから求めることができる。
【００４９】
このように、反射板１０３の表面形状を加工し、傾斜角度αの傾斜部１０４ａを有する凸部１０４を設けることにより、反射板１０３の前端１０３ａ側で反射した光は、冷蔵庫１００の開口部８によって左方向に反射する。つまり、照明装置２７から照射された光は、正反射する場合とは異なる方向に光を反射する凸部１０４を設けたことにより、正反射する場合と比べて急角で反射する。これにより、図１４に示すように、扉１０２の開放角度が９０度の場合には、庫内の全域が照明範囲（Ｒ１）となる。すなわち、庫内の全域を、扉１０２の開放角度によらず照明装置２７により照らすことができる。
【００５０】
この場合、図１５に示すように扉１０２の開放角度が９０度未満の場合には、反射板１０３の前端１０３ａでの反射角がきつくなり、照明範囲（Ｒ１）が庫外にまで到達するものの、庫内を十分に照らすことができる。すなわち、扉１０２の開放角度が小さく、外部からの光が庫内に届きにくい状態であっても、十分に庫内を照らすことができる。
また、傾斜角度度を、反射板の前後方向、つまりは、照明装置２７からの距離に応じて異ならせてもよい。例えば、図１６に示すように、反射板１０３の前端１０３ａ側の領域Ａ１０には、傾斜角度度がα１０（ただし、α１０＝＝α）の凸部１０４を設け、領域Ａ１０に隣り合う領域Ａ１１には傾斜角度度α１１（ただし、α１１＜α１０）の凸部１０４を設け、後端１０３ｂ側の領域Ａ１２には、傾斜角度度がα１２（ただし、α１２＜α１１）の凸部１０４を設けてもよい。
【００５１】
このように反射板１０３の前後方向で傾斜角度度を変化させることにより、前端１０３ａ側で反射した光は深い角度で反射することにより庫内の左右方向を照らし、後側つまりは貯蔵庫の奥側で反射した光は浅い角度で反射するため奥側を照らすことになり、庫内の全域を効率よく照らすことができる。
この場合、一枚の反射板１０３の表面を加工して領域Ａ１０〜Ａ１２を形成するのではなく、領域Ａ１０を設けた反射板片と、領域Ａ１１を設けた反射板片と、領域Ａ１２を設けた反射板片とを組み合わせて、反射板１０３としてもよい。
【００５２】
＜他の表面形状の例＞
反射板１０３の表面形状は、上記した三角形状の凸部１０４に限らず、他の形状に加工してもよい。例えば、図１７に示すように、反射板１０３の表面に、複数の波型状の凸部１０５を設けてもよい。この図１７には、反射板１０３の表面の領域Ｂ１〜Ｂ３を模式的に拡大して示している。各領域Ｂ１〜Ｂ３に設けられている凸部１０５は、その一部、より具体的には、照明装置２７側となる一部に、直線状の傾斜部１０５ａが設けられている。
【００５３】
前端１０３ａ側の領域Ａ１における凸部１０５の傾斜部１０５ａの傾斜角度β１は、上記した凸部１０４の傾斜部１０４ａと同様に、扉１０２の開放角度を９０度に設定した際に光の軌跡が貯蔵庫の開口部８に沿うような角度に設定されている。領域Ｂ１に隣り合う領域Ｂ２の凸部１０５の傾斜角度β２は、β２＜β１の関係となるように設定されており、後端１０３ｂ側の領域Ｂ３の凸部１０５の傾斜角度β３は、β３＜β２の関係となるように設定されている。
【００５４】
これにより、三角形状の凸部１０４と同様に、前端１０３ａ側で反射した光は深い角度で反射することにより庫内の左右方向を照らし、後側つまりは貯蔵庫の奥側で反射した光は浅い角度で反射するため奥側を照らすことになり、庫内の全域を効率よく照らすことができる。
【００５５】
（その他の実施形態）
以上説明した貯蔵庫は、上記実施形態にのみ限定されるものではなく、特に冷蔵庫以外の例えば冷凍庫や温蔵庫等の貯蔵庫への適用が可能であるなど、要旨を逸脱しない範囲内で適宜変更して実施し得る。
【００５６】
実施形態では、上記では三角形状の凸部１０４や波型状の凸部１０５を形成する例を示したが、例えば図１８に示すように、三角形状の凸部１０４を形成した領域Ａ１と、波型状の凸部１０５を形成した領域Ｂ３、Ｂ４とを設けてもよい。この場合、１枚の反射板１０３を加工してもよいが、領域Ａ１を設けた反射板片１０３ｃと、領域Ｂ２を設けた反射板片１０３ｄと、領域Ｂ３を設けた反射板片１０３ｅとを組み合わせる構成としてもよい。  また、図１９に示すように、第１例の冷蔵庫のように両開きの扉２と扉１７とによって貯蔵庫の開口部８を開閉する貯蔵庫に、反射板１０３を設けてもよい。これにより、図２０に示すように、左側の扉２が閉鎖されており、右側の扉１７だけが開放されたとき、左側の扉２によって外部からの光が遮られて庫内に届きにくい状態であっても、照明装置２７からの光によって庫内を十分に照らすことができる。
【００５７】
実施形態では水平面内における光の軌跡について述べたが、照明装置２７から照射される光は、水平方向だけでなく垂直方向にも広がる。そのため、反射板１０３を設けることにより、照明装置２７よりも下方に位置する範囲にも光を効率よく届けることができる。そのため、一般的には天井側に庫内灯が設けられることが多い冷蔵庫において、庫内灯から離間した側となる底側を照らすことができ、有意である。
凸部の形状は、三角形状や波形状以外にも、例えば三角錐型としてもよいし、凹レンズあるいは凹面鏡のような全体的な曲面を有する形状としてもよい。これにより、広範囲に光を反射させることができる。
【００５８】
そのほか、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００５９】
図面中、１は庫本体（貯蔵庫）、２、１７、１０２は扉、６は冷蔵室（貯蔵室）、８は開口部、２７は照明装置、１００は冷蔵庫（貯蔵庫）、１０２は扉、１０３は反射板、１０３ｃ、１０３ｄ、１０３ｅは反射板片（反射板）、１０４、１０５は凸部、１０４ａ、１０５ａは傾斜部を示す。
【図１】
2017194181.tif 000003
【図２】
2017194181.tif 000004
【図３】
2017194181.tif 000005
【図４】
2017194181.tif 000006
【図５】
2017194181.tif 000007
【図６】
2017194181.tif 000008
【図７】
2017194181.tif 000009
【図８】
2017194181.tif 000010
【図９】
2017194181.tif 000011
【図１０】
2017194181.tif 000012
【図１１】
2017194181.tif 000013
【図１２】
2017194181.tif 000014
【図１３】
2017194181.tif 000015
【図１４】
2017194181.tif 000016
【図１５】
2017194181.tif 000017
【図１６】
2017194181.tif 000018
【図１７】
2017194181.tif 000019
【図１８】
2017194181.tif 000020
【図１９】
2017194181.tif 000021
【図２０】
2017194181.tif 000022